(57)【特許請求の範囲】
【請求項１】
周囲に吸気および排気用の通風口をそれぞれ設けるとともに、内部に上下方向に向けてサーバユニットをビルトインして収納取り付け可能とした複数段のサーバユニット取り付け部を有するサーバラック内において、上記複数段のサーバユニット取り付け部のうち任意のサーバユニット取り付け部にビルトインして収納取り付けが可能な消火用ユニットケースであって、該消火用ユニットケース内には加圧圧し出し手段を備えた消火剤容器および該消火剤容器内の消火剤を複数に分配して放出する分配器とを備え、さらに分配された放出消火剤をサーバラック内に取り付けられているサーバユニットの吸気側通風口に向けて導入し、噴射ヘッドより消火剤を放出するための複数の導管接続部と、発火を感知し、前記消火剤容器内の消火剤を放出させるべく消火剤圧し出し手段を起動させる感知器とを備えていることを特徴としたサーバラック用消火剤放出装置。
【請求項２】
消火用ユニットケース内に備えられた消火剤容器の加圧圧し出し手段が、消火剤容器内において蓄圧されたものであるところの請求項１に記載のサーバラック用消火剤放出装置。
【請求項３】
消火剤容器内に収納された消火剤が消火用のガスであるところの請求項１に記載のサーバラック用消火剤放出装置。
【請求項４】
周囲に吸気および排気用の通風口をそれぞれ設けるとともに、内部に上下方向に向けてサーバユニットをビルトインして収納取り付け可能とした複数段のサーバユニット取り付け部を有するサーバラック内において、上記複数段のサーバユニット取り付け部のうち任意のサーバユニット取り付け部にビルトインして収納取り付けが可能な消火用ユニットケースであって、該消火用ユニットケース内には加圧圧し出し手段を備えた消火剤容器および該消火剤容器内の消火剤を複数に分配して放出する分配器とを備え、さらに分配された放出消火剤をサーバラック内に取り付けられているサーバユニットの吸気側通風口に向けて導入し、噴射ヘッドより消火剤を放出するための複数の導管接続部と、発火を感知し、前記消火剤容器内の消火剤を放出させるべく消火剤圧し出し手段を起動させる感知器とを備えた消火剤放出装置と、上記感知器を備えない消火剤放出装置とを併用して取り付け、上記感知器付き消火剤放出装置の感知器により火災発生を感知した際に、感知器を備えない消火剤放出装置をも連動作動させることができるようにしたサーバラック用消火剤放出方法。
【発明の詳細な説明】
【技術分野】
【０００１】
本発明は、コンピュータの分野で不可欠なサーバを纏めて収納したラック内での発火に伴う電子データの消失を防止するために用いられる消火剤放出装置に関し、新規設置のサーバラックに限らず既設のサーバラックにも簡単に取り付けが可能であり、しかも使用環境如何により複数台の取り付けも可能としたものである。
【背景技術】
【０００２】
サーバを収納する装置内の発熱に伴う発熱対策や火災発生対策として収納体内にクーラや消火器を備えるとともに、火災発生時に装置を密閉化するためのダンパにより作動する開放密閉部材（シャッター又はブラインド）を設けたものが知られている（特開２０００−３３４０５９号公報参照）。
【特許文献１】特開２０００−３３４０５９号公報
【発明の開示】
【発明が解決しようとする課題】
【０００３】
しかしながら上記した特許文献１に開示されたものは、消火器が単に収納体内の片隅に置かれているだけであるばかりでなく、収納体内に別途温度センサや上記した消火器を作動させるための電磁弁を備える必要があり、またダンパにより作動する開放密閉部材（シャッター又はブラインド）を設ける必要があるために、大掛かりとなり、また既設のサーバ収納体には適用ができない。
【課題を解決するための手段】
【０００４】
そこで本発明にあっては、サーバラック内の消火手段としてコンパクトで、しかも取り付けが簡単であり、また既設のサーバラックに対しても同様に簡単に取り付けが可能なサーバラック用消火剤放出装置を開発したものである。
【０００５】
すなわち具体的には、周囲に吸気および排気用の通風口をそれぞれ設けるとともに、内部に上下方向に向けてサーバユニットをビルトインして収納取り付け可能とした複数段のサーバユニット取り付け部を有するサーバラック内において、上記複数段のサーバユニット取り付け部のうち任意のサーバユニット取り付け部にビルトインして収納取り付けが可能なユニットケースであって、該ユニットケース内には加圧圧し出し手段を備えた消火剤容器および該消火剤容器内の消火剤を複数に分配して放出する分配器とを備え、さらに分配された放出消火剤をサーバユニットの吸気側通風口に向けて導入し、噴射ヘッドより消火剤を放出するための複数の導管接続部と、発火を感知し、前記消火剤容器内の消火剤を放出させるべく消火剤圧し出し手段を起動させる感知器とを備えていることを特徴としたサーバラック用消火剤放出装置に関する。
【発明の効果】
【０００６】
本発明は上記したように、サーバラック内における複数段のサーバユニット取り付け部のうち任意のサーバユニット取り付け部にビルトインして収納取り付けが可能なユニットケースを用い、しかも該ユニットケース内には加圧圧し出し手段を備えた消火剤容器および該消火剤容器内の消火剤を複数に分配して放出する分配器とを備え、さらに分配された放出消火剤をサーバユニットの吸気側通風口に向けて導入し、噴射ヘッドより消火剤を放出するための複数の導管接続部と、発火又は発煙時にこれを感知して作動信号を制御部に送り、制御部において火災発生と判断した場合に前記消火剤容器内の消火剤を放出させるべく消火剤圧し出し手段を起動させる感知器とを備えているために、サーバラック内における複数段のサーバユニット取り付け部のうち任意の空いているサーバユニット取り付け部を利用し、そこにビルトインして簡単に取り付けるだけで済むために取り付けがきわめて簡単であり、また体裁もよい。
【０００７】
また、新設のサーバーラックに限らず既設のサーバーラックに対しても、サーバーラック内に複数段のサイバーユニット取り付け部のうち空いている部分さへあれば、この部分を利用して簡単に取り付け搭載することが可能である。さらに、これ以外に別途温度センサや消火器を作動させるための電磁弁等をサーバラック内に取り付ける必要がないところから、装置の大型化が避けられる。
【０００８】
さらに放出された消火剤はサーバユニットの吸気側通風口に向けて導入される導管を通じて導管先端の噴射ヘッドからサーバユニットの吸気側通風口に向けて噴射されるとともに、噴射された消火剤はサーバユニットの吸気側通風口内に吸引される気流に乗ってサーバユニット内に直接に充満させることができるために、例えば既述した特許文献１に開示されたようなサーバラック自体を開放密閉したりして消火剤をサーバラック内に噴出させるようにした既存の消火装置に比べて消火効率が格段に向上する。
【０００９】
さらに、複数段のサーバユニット取り付け部のうち任意のサーバユニット取り付け部にビルトインして収納取り付けが可能な消火用ユニットケースであって、該消火用ユニットケース内には加圧圧し出し手段を備えた消火剤容器および該消火剤容器内の消火剤を複数に分配して放出する分配器とを備え、さらに分配された放出消火剤をサーバラック内に取り付けられているサーバユニットの吸気側通風口に向けて導入し、噴射ヘッドより消火剤を放出するための複数の導管接続部と、発火又は発煙を感知する感知器と、前記消火剤容器内の消火剤を放出させるべく消火剤圧し出し手段を起動させる制御部とを備えた消火剤放出装置と、上記感知器を備えない消火剤放出装置とを併用して取り付け、上記感知器および制御部付き消火剤放出装置の感知器により火災発生を感知した際に、感知器および制御部を備えない消火剤放出装置をも連動作動させることができるようにした場合においては、一台のサーバユニットに対して、複数台の消火剤放出装置をビルトインして取り付ける場合に、感知器を備えた消火剤放出装置は僅か１台だけで済むためにコストの著しい低減をはかることができる。
【発明を実施するための最良の形態】
【００１０】
以下において本発明の具体的な内容を説明すると、図１には本発明に係るサーバラック用消火剤放出装置の一例があらわされている。同図において１は消火用ユニットケースをあらわしており、該消火用ユニットケース１は左右の把手１６を有する正面板２・左右側面板４・４、背面板３、および底面板５からなり、基本的にはサーバユニットと略同一の形状・大きさをなしており、図２〜４にあらわしたサーバラック２１内の複数段のサーバユニット取り付け部のうち任意のサーバユニット取り付け部にビルトインして収納取り付けが可能に構成されている。
【００１１】
さらに消火用ユニットケース１内には消火剤容器６および後記する感知器の作動が火災であるか否かを判別する制御部１５、および上記した消火剤容器６内の消火剤を加圧して押し出すための手段として、加圧用ガス容器７および起動装置８、導管９が付設されている。なおこの場合における消火剤を加圧して押し出すための手段として、加圧用ガス容器７内に圧力ガスを蓄圧させるようにしてもよい。また消火用ユニットケース１内には上記した消火剤容器６内の消火剤を複数に分配して放出する分配器１１を備えており、さらに該分配器１１により分配された放出消火剤をサーバラック２１内に取り付けられているサーバユニット２８の吸気側通風口２９に向けて導入し、噴射ヘッド３２より消火剤を放出するための正面板２側に形成した導管接続部１２ａ・１２ｂおよび左右の側面板３側に形成した導管接続部１２ｃ．１２ｄを有する。
【００１２】
さらに１３は消火用ユニットケース１の底面に取り付けられた感知器であって、発火あるいは発煙を感知して異常信号を制御部１５に伝達する。制御部１５は感知器１３から送られた信号を分析し、火災発生か否かを判別するとともに、火災発生と判別した場合には前記消火剤容器６内の消火剤を放出させるべく消火剤圧し出し手段としての起動装置８を起動させるために設けられている。なお図において、１５は制御部、１４は制御部に接続される信号・電源ケーブルの取り出し部、１７は正面板の左右端に設けられたサーバラック取り付け用のネジ孔、１８は表示部、１９はブザー、２０は非常停止用の押しボタンをそれぞれあらわしている。
【００１３】
なお上記した消火剤容器６内に充填される消火剤については、この場合窒素系あるいはふフッ素系あるいはアルゴン系等既知の消火用ガス、又は粉末その他の消火剤を用いることができる。
【００１４】
つぎに上記した構成のサーバラック用消火剤放出装置をサーバーラック内にビルトインして取り付ける場合について図２〜４により説明する。同図において、２１はサーバラックの一例をあらわしており、正面側に底面板２６上に植立させた左右のサーバ固定支柱２２ａ・２２ａと、背面側に同じく底面板２６上に植立させた左右のサーバ固定支柱２２ｂ・２２ｂによりシャーシを構成しており、さらに該シャーシに対して正面板２３、背面板２４、および左右の側面板２５・２５、底面板２６、天板２７がそれぞれ取り付けられる。
【００１５】
さらに上記のサーバラック２１は、特に図示はしないが周囲に吸気および排気用の通風口をそれぞれ設けるとともに、内部に上下方向に向けて複数のサーバユニット２８をそれぞれビルトインして収納取り付け可能とした複数段のサーバユニット取り付け部を有している。図３および図４の実施例においては複数段のサーバユニット取り付け部に対してサーバユニット２８ａ〜２８ｈの８台のサーバユニットがビルトインして取り付けられている。
【００１６】
上記の実施例において、サーバラック２１の最上段に位置するサーバユニット取り付け部には本発明に係る消火剤放出装置の消火用ユニットケース１がビルトインして取り付けられている。取り付けは正面板２の左右端に設けたサーバラック取り付け用のネジ孔１７をもって左右のサーバ固定支柱２２ａ・２２ａにネジ止めされて取り付けられている。またサーバユニット２８ｆの上の段に位置する空いているサーバユニット取り付け部にも本発明に係る消火剤放出装置の消火用ユニットケース１がビルトインして取り付けられている。なおこの消火用ユニットケース１には感知器１３が設けられていない。
【００１７】
さらに最上段のサーバユニット取り付け部に取り付けられた消火用ユニットケース１の導管接続部１２ａ・１２ｂには、それぞれ導管３１の一端が接続され、一方の導管３１は先端に噴射ヘッド３２ａが取り付けられており、該噴射ヘッド３２ａはサーバユニット２８ｈの吸気側通風口２９ｈに向けて設置され、また他方の導管３１は先端に噴射ヘッド３２ｂが取り付けられており、該噴射ヘッド３２ｂはサーバユニット２８ｇの吸気側通風口２９ｇに向けて設置されている。
【００１８】
またサーバユニット２８ｆの上の段に位置する感知器なしの消火用ユニットケース１における導管接続部１２ａ・１２ｂおよび１２ｃ・１２ｄには、上記したのと同様にそれぞれ正面側２本、左右の側面側合計４本、合計６本の導管３１のそれぞれの一端が接続され、それぞれの導管３１は先端に噴射ヘッド３２ｃ〜３２ｈが取り付けられており、これらの噴射ヘッド３２ｃ〜３２ｈはサーバユニット２８ａ〜２８ｆのそれぞれの吸気側通風口２９ａ〜２９ｆに向けて設置されている。
【００１９】
なお図３において、３３は最上段の消火用ユニットケース１とサーバユニット２８ｆの上の段に位置する消火用ユニットケース１とを接続する起動用ケーブルをあらわしている。
【００２０】
上記の構成において、サーバラック２１内に取り付けられた消火剤放出装置が電源に接続された状態で待機するなか、サーバラック２１内のいずれかのサーバユニット２８が過熱により発火し、あるいは発煙すると、最上段に位置する消火剤放出装置の消火用ユニットケース１に設けられた感知器１３がこれを感知し、制御部１５により起動装置８を起動させて加圧用ガス容器７内の加圧ガスを導管９を介して消火剤容器６内に圧送し、消火剤容器６内の消火剤を導管１０を介して分配器１１へと圧送する。
【００２１】
消火剤は分配器１１を通過する際に、導管接続部１２ａ・１２ｂおよび１２ｃ・１２ｄに通じる各導管に分配され、さらに各導管接続部１２ａ・１２ｂおよび１２ｃ・１２ｄに接続された導管３１を介して、それぞれの先端に取り付けられたところの、サーバユニット２８ｈおよび２８ｇの吸気側通風口２９ｈおよび２９ｇに向けて設置された噴射ヘッド３２ａ・３２ｂより、それぞれ吸気側通風口２９ｈおよび２９ｇに向けて消火剤を噴射放出する。
【００２２】
なお、本実施例においては、サーバラック２１内における最上段のサーバユニット取り付け部に取り付けられた感知器１３付きの消火用ユニットケース１のほかに、サーバユニット２８ｆの上の段に位置するサーバユニット取り付け部にも感知器および制御部なしの消火用ユニットケース１が併用して取り付けられている。
【００２３】
このために、最上段の消火剤放出装置の消火用ユニットケース１に設けられた感知器１３が火災若しくは発煙を感知した際に、制御部１５により起動用ケーブル３３を介してサーバユニット２８ｆの上の段に位置して取り付けられた消火剤放出装置の消火用ユニットケース１内の起動装置８を起動させて加圧用ガス容器７内の加圧ガスを各導管接続部１２ａ・１２ｂおよび１２ｃ・１２ｄに圧送し、これらに接続された各導管３１を介して先端の各々サーバユニット２８ａ〜２８ｆの吸気側通風口２９ａ〜２９ｆに向けて設置された噴射ヘッド３２ｃ〜３２ｈによって、消火剤をそれぞれの吸気側通風口２９からサーバーユニット２８内に吸引され、サーバーユニット２８内を通過した後排気側通風口３０から排出される気流に乗せて効率的にサーバユニット内に充満させて消火もしくは発煙を抑制することができる。
【００２４】
なお、上記した実施例においてはサーバユニット２８の構成において、吸気側通風口２９がサーバユニット２８の正面側に、また排気側通風口３０がサーバユニット２８の側面側にそれぞれ設けられている場合について説明をしたが、吸気側通風口２９がサーバユニット２８の側面あるいは背面側、又は底面側に設けられている場合には、各導管３１の噴射ヘッド３２を、これらの吸気側通風口２９に対応する位置に設置されるものとする。
【図面の簡単な説明】
【００２５】
【図１】本発明の実施例であるサーバラック用消火剤放出装置の上蓋を取り外した上体の斜視図。
【図２】本発明のサーバラック用消火剤放出装置をサーバラックにビルトインして取り付けた状態の一例をあらわしたサーバラックの正面図。
【図３】図２に示したサーバラックの右側の側面板を取り外した状態の右側面図。
【図４】図２に示したサーバラックの天板を取り外した状態の平面図。
【符号の説明】
【００２６】
１          消火用ユニットケース
２          正面板
３          背面板
４          側面板
５          底面板
６          消火剤容器
７          加圧用ガス容器
８          起動装置
９          導管
１０        導管
１１        分配器
１２ａ      導管接続部
１２ｂ      導管接続部
１２ｃ      導管接続部
１２ｄ      導管接続部
１３        感知器
１４        信号・電源ケーブルの取り出し部
１５        制御部
１６        把手
１７        ネジ孔
１８        表示部
１９        ブザー
２０        非常停止用の押しボタン
２１        サーバラック
２２        サーバ固定支柱
２３        正面板
２４        背面板
２５        側面板
２６        底面板
２７        天板
２８        サーバユニット
２９        吸気側通風口
３０        排気側通風口
３１        導管
３２        噴射ヘッド
３３        起動用ケーブル
【図１】
0004676904.tif 000002
【図２】
0004676904.tif 000003
【図３】
0004676904.tif 000004
【図４】
0004676904.tif 000005